(57)【要約】  バンド（１０）から形成された開放したクランプは、クランプの閉鎖状態で互いにオーバーラップするバンドエンド領域（１２，２３）を備える。クランプを閉鎖するため、外側のバンドエンド領域（１２）に設けられた２つのスリット（１３）に、内側のバンドエンド領域（２３）から出るように曲げられた２つの突出片（１８）が通され、これら突出片は、外側で重なるように折畳み可能である。耳状の締付け装置（１５）は、閉鎖状態と締付け状態の間でクランプの周方向の長さを短縮するために使用される。この場合、互いに結合されたバンドエンド領域（１２，１３）の間に生じる張力は、互いに係合する２つのカップ状の押出し成形部（１４，１９）によって吸収され、これら押出し成形部の内の、横断面が小さい押出し成形部（１９）は、内側のバンドエンド領域（２３）に形成され、外側のバンドエンド領域（１２）に設けられた大きい押出し成形部（１４）に係合する。このように構成された荷重伝達装置は、閉鎖装置のスリット（１３）が何ら張力を受ける必要がないようになる。
2009536294.tif 000002
【特許請求の範囲】
【請求項１】
一方のバンドエンド領域（１２）に開口（１３）を備え、他方のバンドエンド領域（２３）に、クランプの閉鎖状態で開口（１３）に係合する突出部を備え、互いにオーバーラップするバンドエンド領域（１２，２３）を互いに保持する閉鎖装置（１３，１８）と、閉鎖状態と締付け状態の間でクランプの周方向の長さを短縮することによりクランプを締め付けるための締付け装置（１５）を有した、閉鎖状態で互いにオーバーラップするバンドエンド領域（１２，２３）を有する、バンド（１０）から形成されたクランプにおいて、閉鎖装置（１３，１８）から離隔された荷重伝達装置（１４，１９）が、クランプの締付け状態で互いにオーバーラップするバンドエンド領域（１２，１３）の間に生じる張力を係合により伝達するために設けられていることを特徴とするクランプ。
【請求項２】
荷重伝達装置（１４，１９）が、一方のバンドエンド領域（１２）に形成された第１のカップ状の押出し成形部（１４）と、他方のバンドエンド領域（２３）に形成された、クランプの閉鎖状態で第１のカップ状の押出し成形部（１４）に係合する第２のカップ状の押出し成形部（１９）を有することを特徴とする請求項１に記載のクランプ。
【請求項３】
両カップ状の押出し成形部（１４，１９）が、少なくとも、係合側の第２の押出し成形部（１９）の場合は締付け装置（１５）側の領域を、被係合側の第１の押出し成形部（１４）の場合は締付け装置（１５）とは反対側の領域をＲ付けされていることを特徴とする請求項２に記載のクランプ。
【請求項４】
両押出し成形部（１４，１９）のバンド表面と平行な断面が円形であることを特徴とする請求項２又は３に記載のクランプ。
【請求項５】
一方の第１の押出し成形部（１４）の内側寸法が、他方の第２の押出し成形部（１９）の外側寸法よりも大きいことを特徴とする請求項２〜４のいずれか１つに記載のクランプ。
【請求項６】
両押出し成形部（１４，１９）が、クランプのバンド（１０）から深絞りされていることを特徴とする請求項２〜５のいずれか１つに記載のクランプ。
【請求項７】
閉鎖装置（１３，１８）が、一方のバンドエンド領域（２３）に形成された、バンド長手方向に延在するスリット（１３）と、他方のバンドエンド領域（１２）から出るように曲げられた、スリット（１３）を貫通可能な突出片（１８）を備えることを特徴とする請求項１〜６のいずれか１つに記載のクランプ。
【請求項８】
閉鎖装置（１３，１８）が、クランプの閉鎖状態で内側のバンドエンド領域（２３）に、平行な２つの突出片（１８）を備え、これら突出片が、対応する平行な、外側のバンドエンド領域（１２）のスリット（１３）を貫通可能であり、重なるように折畳み可能であることを特徴とする請求項７に記載のクランプ。
【請求項９】
荷重伝達装置（１４，１９）が、閉鎖装置（１３，１８）の直近に配設されていることを特徴とする請求項１〜８のいずれか１つに記載のクランプ。
【請求項１０】
荷重伝達装置（１４，１９）が、閉鎖装置（１３，１８）の、クランプの閉鎖状態で外側のバンドエンド領域（１２）の自由端（１１）とは反対側に配設されていることを特徴とする請求項１〜９のいずれか１つに記載のクランプ。
【請求項１１】
バンド（１０）の幅が８〜１５ｍｍで、厚さが０．６〜１．０ｍｍの場合、一方の第１のカップ状の押出し成形部（１４）の内径が、３．５〜４．０ｍｍであり、他方の第２のカップ状の押出し成形部（１９）の外径よりも０．２〜０．４ｍｍだけ大きいことを特徴とする請求項２〜１０のいずれか１つに記載のクランプ。
【請求項１２】
締付け装置（１５）が、バンド（１０）から成形された耳部を有し、この耳部が、クランプの非締付け状態でバンド（１０）に対して垂直に延在する２つの脚部（２６）と、これら脚部の外端部を結合する橋梁部（２７）を備えることを特徴とする請求項１〜１１のいずれか１つに記載のクランプ。
【発明の詳細な説明】
【技術分野】
【０００１】
本発明は、請求項１の上位概念に記載のクランプに関する。
【背景技術】
【０００２】
特許文献１から、請求項１の上位概念に記載のバンドから形成されたクランプが公知である。納入状態で円形に予め曲げられた開いたクランプは、締め付けるべき対象の回りに両バンドエンド領域をオーバーラップさせて巻き付けられる。クランプを閉鎖するため、オーバーラップされた内側のバンドエンド領域に複数のフックが設けられており、これらフックは、外側のバンドエンド領域に設けられた開口に係合する。次いで、クランプは、いわゆる「エーティケルの耳」を狭めることにより締め付けられる。
【０００３】
この公知のクランプの場合、３つのフックが設けられており、その内の１つは、バンド材料を曲げた突出片の形態のガイドフックとして形成されており、このガイドフックは、外側のバンドエンド領域に設けられた、バンド長手方向に延在するスリットに挿入される。別の２つのフックは、内側のバンドエンド領域から冷間変形によって押し出された支持フックであり、これらは、外側のバンドエンド領域の窓状の開口の相応のエッジに作用する。ガイドフックの内側のバンドエンドとは反対側のエッジは、斜め外に向かって延在するので、互いにオーバーラップするバンドエンド領域は、クランプの締付け時に重なるように案内され、狭いオーバーラップ状態に保たれる。
【０００４】
クランプの締付け状態で、両バンドエンド領域の間に生じる張力は、先ず、内側のバンドエンド領域に形成された支持フックから、外側のバンドエンド領域に形成された窓状の開口の締付け装置とは反対側のエッジに伝達される。これから、伝達すべき張力が上昇した場合にこの開口又は窓のエッジのところで材料の破断が行なわれることが分かる。
【０００５】
特許文献２からは、バネに作用する力を制限するための付加的な装置を備える、バネを取り付けた形態の弾性を蓄えたホースクランプが公知である。この制限装置は、開口のエッジに所定の最大荷重になった時に作用するフックと協働する。
【特許文献１】米国特許第５，３０５，４９９号明細書
【特許文献２】米国特許第５，１３８，７４７号明細書
【発明の開示】
【発明が解決しようとする課題】
【０００６】
本発明根底にある課題は、材料が同じで、寸法が同じでも、比較可能な従来技術によるクランプよりも高い張力に耐える、バンドから形成された、即ち開いたクランプを提供することにある。
【課題を解決するための手段】
【０００７】
この課題は、請求項１の特徴を有するクランプによって解決される。
【０００８】
請求項１によれば、閉鎖装置から離隔され、この閉鎖装置に加えて、クランプの締付け状態で互いにオーバーラップするバンドエンド領域の間に生じる張力を係合により伝達するために使用される荷重伝達装置が設けられている。これにより、一方のバンドエンド領域の開口と、この開口に係合する、他方のバンドエンド領域の突出部と協働する閉鎖装置は、伝達すべき張力から解放される。従って、従来技術とは違って、必然的にバンド材料の弱所となる、閉鎖装置の部分を構成する（少なくとも１つの）開口が、同時に荷重伝達のために使用されない。試験から、本発明によるクランプが、全バンド幅の領域で、場合によっては締付け装置の領域で破断するが、閉鎖装置では破断せず、従って、高い荷重に耐えることが分かった。
【０００９】
請求項２による荷重伝達装置の形成は、カップ状の押出し成形部が、バンド材料の強度を下げるのではなく高めるので、特に有利である。
【００１０】
請求項３により押出し成形部の形状が少なくとも部分的にＲ付けされた場合、荷重伝達領域で応力ピークが回避される。この場合、請求項４による形成は、製造の見地からも有利である。
【００１１】
請求項５による本発明の発展形では、押出し成形部が遊びをもって互いに係合し、これが、荷重伝達を阻害することなく、クランプの閉鎖を容易にする。
【００１２】
請求項７及び８による本発明の発展形は、互いにオーバーラップしたバンドエンド領域が、クランプの閉鎖状態で互いに緊密に保たれる点で有利である。請求項９及び１０の特徴と関連して、互いに係合する両押出し成形部は、張力が高い場合でも互いに解離することができない。
【００１３】
典型的な寸法は、請求項１１に記載されている。
【００１４】
本発明は、請求項１２に記載した締付け装置の形成と関連して特に有利である。
【発明を実施するための最良の形態】
【００１５】
本発明の実施例を、以下で図面に基づいて詳細に説明する。
【００１６】
図面に図示したホースクランプは、幅が８〜１５ｍｍで、典型的には１０ｍｍで、厚さが０．６〜１．０ｍｍの、典型的には０．８ｍｍのスチールバンド１０から製造されている。図１に図示したクランプの閉鎖状態で外側のバンド領域を構成するバンドエンド領域１２の自由端１１から出発して、バンド１０には、以下の構成が形成されている。即ち、
−バンド長手方向に延在する２つの平行なスリット１３と、
−１つのカップ状の押出し成形部１４と、
−１つの耳状の締付け装置１５と、
−２つの長手方向の切込みによって側面が切り離された、バンド１０から押し出された１
つの中央のバンド部分１７と、
−バンド１０から３方が切り離され、曲げ出された、バンド長手方向に対して平行に延在
する２つの突出片と、
−１つの別のカップ状の押出し成形部１９と、
−バンド長手方向に対して平行に延在する、バンド１０から膨出された２つのガイド領域
２０と、
−バンド１０の反対側の端部２１に取り付けられた１つの舌部２２
が形成されている。
【００１７】
スリット１３と第１のカップ状の押出し成形部１４は、図１のクランプの閉鎖状態で外側のバンドエンド領域１２に形成され、突出片１８と第２のカップ状の押出し成形部１９は、内側のバンドエンド領域２３に形成されている。
【００１８】
深絞りによってバンド１０の材料から構成された両方のカップ状の押出し成形部１４及び１９は、バンド縦断面図で本質的に逆Ｕ字形状で、平面図で円形状である。外側のバンドエンド領域１２に設けられた押出し成形部１４の内径は、３．５〜４．０ｍｍで、典型的には３．８ｍｍであり、内側のバンドエンド領域２３に形成された押出し成形部１９の外径よりも０．２〜０．４ｍｍだけ、典型的には０．３ｍｍだけ大きい。即ち、両押出し成形部１４及び１９は、遊びをもって互いに係合し、従って、クランプの閉鎖時に容易に係合可能である。
【００１９】
クランプの閉鎖状態で、突出片１８は、スリット１３に通され、図４に示したように、外側のバンドエンド領域１２の外側に重なるように折り畳むことができるので、これら突出片は、突出片１８の間に残っているバンド１０のウェブ２４を、本質的に完全に包囲する。スリット１３が、外側のバンドエンド領域１２の自由端１１の近くに形成されているので、この外側のバンドエンド領域は、（示してない）クランプすべき対象を取り囲む内側のバンドエンド領域２３の上に緊密に保持される。これにより、両カップ状の押出し成形部１４及び１９が確実に係合して互いに保持されるようになる。
【００２０】
図１に示したクランプの閉鎖状態で、舌部２２は、その自由端を、押し出された中央のバンド部分１７の下に設けられた、両切込み１６によって構成されたスリットが始まる、バンド１０に形成された段差２５の領域に差し込まれる。
【００２１】
締付け装置１５を構成する耳１５は、クランプの非締付け状態でバンド１０に対して垂直に延在する２つの脚部２６と、その外端部を結合する橋梁部２７を備え、この橋梁部は、内側に押し出された、ガイド領域２０の間に案内されたビード２８によって補強されている。
【００２２】
クランプを締め付けるため、耳１５は、脚部２６の脚端部に作用するプライヤ式の工具によって狭められ、これにより、クランプの周方向の長さが短縮され、舌部２２は、更に長出された中央のバンド部分１７の下に移動する。この場合外側のバンドエンド領域１２と内側のバンドエンド領域２３の間に生じる張力は、外側の押出し成形部１４の耳１５とは反対側の領域が互いに接触する、互いに係合するカップ状の押出し成形部１４及び１９によって吸収される。押出し成形部１４及び１９の閉じた円の形は、非常に高い荷重の伝達を許容する。これに対して、閉鎖装置の突出片１８を案内するスリット１３は、張力から解放されたままである。
【００２３】
押出し成形部１４及び１９を確実な係合状態に保つため、これら押出し成形部を、スリット１３と突出片１８によって構成される閉鎖装置のできるだけ近くに配設することが、合目的である。この措置により、同時に不要なバンド長さが回避される。
【００２４】
スリット１３が何ら張力を受けないので、スリットは、外側のバンドエンド領域１２の自由端１１の近くで終わることができる。その点でも、バンド長さを削減することができる。
【００２５】
押出し成形部１４及び１９は、前記実施例で図示した円形を有する必要はない。応力ピークを回避するために、押出し成形部が、少なくとも、外側の押出し成形部１４の耳１５とは反対側の領域をＲ付けされている場合が、即ち、押出し成形部１４及び１９が、図５及び６の右側の領域で互いに接触する場合が、合目的である。
【００２６】
前記の材料と寸法は、典型的な実施例を説明するためだけに役立つ。本発明は、一般に、他の材料から成る、他の寸法を備えるバンドクランプでも適用可能である。
【図面の簡単な説明】
【００２７】
【図１】締め付けてない閉鎖状態のホースクランプの側面図を示す。
【図２】クランプの伸びた状態であるが製造時の変形状態のホースクランプバンドの側面図を示す。
【図３】図２のクランプバンドの平面図を示す。
【図４】図１のＡ−Ａの箇所の横断面図を示す。
【図５】クランプバンドに設けられた、図２でＹで指示された箇所の押出し成形部の拡大縦断面図を示す。
【図６】クランプバンドに設けられた、図２でＺで指示された箇所の押出し成形部の拡大縦断面図を示す。
【符号の説明】
【００２８】
１０    スチールバンド
１１    自由端
１２    バンドエンド領域
１３    スリット
１４    第１の押出し成形部
１５    締付け装置
１６    長手方向の切込み
１７    中央のバンド部分
１８    突出片
１９    第２の押出し成形部
２０    ガイド領域
２１    端部
２２    舌部
２３    バンドエンド領域
２４    ウェブ
２５    段差
２６    脚部
２７    橋梁部
２８    ビード
【図１】
2009536294.tif 000003
【図２】
2009536294.tif 000004
【図３】
2009536294.tif 000005
【図４】
2009536294.tif 000006
【図５】
2009536294.tif 000007
【図６】
2009536294.tif 000008
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
一方のバンドエンド領域（１２）に開口（１３）を備え、他方のバンドエンド領域（２３）に、クランプの閉鎖状態で開口（１３）に係合する突出部を備え、互いにオーバーラップするバンドエンド領域（１２，２３）を互いに保持する閉鎖装置（１３，１８）と、閉鎖状態と締付け状態の間でクランプの周方向の長さを短縮することによりクランプを締め付けるための締付け装置（１５）と、クランプの締付け状態で互いにオーバーラップするバンドエンド領域（１２，１３）の間に生じる張力を係合により伝達するための、閉鎖装置（１３，１８）から離隔された荷重伝達装置（１４，１９）を有した、閉鎖状態で互いにオーバーラップするバンドエンド領域（１２，２３）を有する、バンド（１０）から形成されたクランプにおいて、荷重伝達装置（１４，１９）が、一方のバンドエンド領域（１２）に形成された第１のカップ状の押出し成形部（１４）と、他方のバンドエンド領域（２３）に形成された、クランプの閉鎖状態で第１のカップ状の押出し成形部（１４）に係合する第２のカップ状の押出し成形部（１９）を有することを特徴とするクランプ。
【請求項２】
両カップ状の押出し成形部（１４，１９）が、少なくとも、係合側の第２の押出し成形部（１９）の場合は締付け装置（１５）側の領域を、被係合側の第１の押出し成形部（１４）の場合は締付け装置（１５）とは反対側の領域をＲ付けされていることを特徴とする請求項１に記載のクランプ。
【請求項３】
両押出し成形部（１４，１９）のバンド表面と平行な断面が円形であることを特徴とする請求項１又は２に記載のクランプ。
【請求項４】
一方の第１の押出し成形部（１４）の内側寸法が、他方の第２の押出し成形部（１９）の外側寸法よりも大きいことを特徴とする請求項１〜３のいずれか１つに記載のクランプ。
【請求項５】
両押出し成形部（１４，１９）が、クランプのバンド（１０）から深絞りされていることを特徴とする請求項１〜４のいずれか１つに記載のクランプ。
【請求項６】
閉鎖装置（１３，１８）が、一方のバンドエンド領域（２３）に形成された、バンド長手方向に延在するスリット（１３）と、他方のバンドエンド領域（１２）から出るように曲げられた、スリット（１３）を貫通可能な突出片（１８）を備えることを特徴とする請求項１〜５のいずれか１つに記載のクランプ。
【請求項７】
閉鎖装置（１３，１８）が、クランプの閉鎖状態で内側のバンドエンド領域（２３）に、平行な２つの突出片（１８）を備え、これら突出片が、対応する平行な、外側のバンドエンド領域（１２）のスリット（１３）を貫通可能であり、重なるように折畳み可能であることを特徴とする請求項６に記載のクランプ。
【請求項８】
荷重伝達装置（１４，１９）が、閉鎖装置（１３，１８）の直近に配設されていることを特徴とする請求項１〜７のいずれか１つに記載のクランプ。
【請求項９】
荷重伝達装置（１４，１９）が、閉鎖装置（１３，１８）の、クランプの閉鎖状態で外側のバンドエンド領域（１２）の自由端（１１）とは反対側に配設されていることを特徴とする請求項１〜８のいずれか１つに記載のクランプ。
【請求項１０】
バンド（１０）の幅が８〜１５ｍｍで、厚さが０．６〜１．０ｍｍの場合、一方の第１のカップ状の押出し成形部（１４）の内径が、３．５〜４．０ｍｍであり、他方の第２のカップ状の押出し成形部（１９）の外径よりも０．２〜０．４ｍｍだけ大きいことを特徴とする請求項１〜９のいずれか１つに記載のクランプ。
【請求項１１】
締付け装置（１５）が、バンド（１０）から成形された耳部を有し、この耳部が、クランプの非締付け状態でバンド（１０）に対して垂直に延在する２つの脚部（２６）と、これら脚部の外端部を結合する橋梁部（２７）を備えることを特徴とする請求項１〜１０のいずれか１つに記載のクランプ。
【手続補正２】
【補正対象書類名】図面
【補正対象項目名】図１
【補正方法】変更
【補正の内容】
【図１】
2009536294.tif 000009
【手続補正書】
【提出日】平成20年12月22日(2008.12.22)
【手続補正１】
【補正対象書類名】図面
【補正対象項目名】図４
【補正方法】変更
【補正の内容】
【図４】
2009536294.tif 000010
【手続補正２】
【補正対象書類名】図面
【補正対象項目名】図５
【補正方法】変更
【補正の内容】
【図５】
2009536294.tif 000011
【手続補正３】
【補正対象書類名】図面
【補正対象項目名】図６
【補正方法】変更
【補正の内容】
【図６】
2009536294.tif 000012
【国際調査報告】
2009536294.tif 000013
2009536294.tif 000014
2009536294.tif 000015
2009536294.tif 000016
2009536294.tif 000017
2009536294.tif 000018